(57)【要約】【課題】昼間は目立たず、かつ、暗いところで光を受けた時、他人に認識可能に反射する光反射材付衣類を提供すること。【解決手段】本発明の反射材付衣類は、表地を形成するメッシュ地と、メッシュ地の裏面からメッシュ地の少なくとも一部に取り付けられ、反射面がメッシュ地を透過した光を反射するように取り付けられる光反射部材と、を具備する。【選択図】　図１
2004143603.tif 000002
【特許請求の範囲】
【請求項１】
表地を形成するメッシュ地と、
前記メッシュ地の裏面から、前記メッシュ地の少なくとも一部に取り付けられ、反射面が前記メッシュ地を透過した光を反射するように取り付けられる光反射部材と、
を具備する、
反射材付衣類。
【請求項２】
表地を形成するメッシュ地と、
前記メッシュ地の裏面から、前記メッシュ地の少なくとも一部に取り付けられ、反射面が前記メッシュ地を透過した光を反射するように取り付けられる光反射部材と、
を具備する、
ズボン。
【請求項３】
前記光反射部材は、当該ズボンの丈方向に対して、平行でないテープ状の部分を有する、
請求項２に記載されたズボン。
【請求項４】
さらに、当該ズボンの裾に、前記メッシュ地より単位重量が重い裾光反射部材を備える、
請求項２または３に記載されたズボン。
【請求項５】
さらに、前記光反射部材の裏面、および前記光反射部材が取り付けられていない前記メッシュ地の裏面に、裏地を具備する、
請求項２〜４のいずれかに記載されたズボン。
【請求項６】
さらに、当該ズボンのサイドの部分に、当該ズボンの下に着用されているサイドポケットとつながる穴部が開けられている、
請求項２〜５のいずれかに記載されたズボン。
【請求項７】
さらに、当該ズボンのサイドの部分に、当該ズボンの下に着用されているベルトに装備されている拳銃もしくは警棒を取り出す穴部が開けられている、
請求項２〜５のいずれかに記載されたズボン。
【請求項８】
表地を形成するメッシュ地と、
前記メッシュ地の裏面から、前記メッシュ地の少なくとも一部に取り付けられ、反射面が前記メッシュ地を透過した光を反射するように取り付けられる光反射部材と、
を具備する、
チョッキ。
【請求項９】
表地を形成するメッシュ地と、
前記メッシュ地の裏面から、前記メッシュ地の少なくとも一部に取り付けられ、反射面が前記メッシュ地を透過した光を反射するように取り付けられる光反射部材と、
を具備する、
ペット用衣類。
【請求項１０】
表地を形成するメッシュ地と、
前記メッシュ地に取り付けられる光反射部材と、
を具備する、
ペット用衣類。
【発明の詳細な説明】
【０００１】
【発明の属する技術分野】
本発明は、衣類に関し、特に光反射部材を具備したメッシュ地の衣類に関する。
【０００２】
【従来の技術】
夜間の交通整理などで着用される光反射部材を具備するチョッキ（ベストなど）が使用されている。
耐寒性および耐熱性に優れた光反射部材を具備したチョッキの発明が開示されている（例えば、特許文献１）。
【０００３】
このような、光反射部材を具備した衣類（以下、光反射部材付衣類）は、自動車のヘッドライトの光を受けた時、反射して運転手に光反射部材付衣類の着用者の位置を知らせるために使用される場合がある。
光反射部材は、靴、雨具、チョッキ、手袋、その他の衣類の表面に取り付けられ、ライトの光を受けた時に反射して、暗いところで光が当った時に他人から認識されやすい。
【０００４】
光反射部材を具備したチョッキ（以下、光反射部材付チョッキ）は、警察官や警備員などが交通整理の時に着用するのに加え、児童や学生に着用される場合がある。児童や学生は、チョッキのデザインが悪いと、光反射部材付チョッキを着用したがらず、着用を義務付けても徹底されない場合がある。
【０００５】
従来の光反射材付衣類は、光反射部材を衣類の表面に付けるためデザイン上の制限があり、昼間に着用していると、カッコが悪いと感じる人がいる。光反射材付衣類は昼間に着用しても、光反射部材が目立たず、夜間に光を受けたときに、十分に反射することが好ましい。
【０００６】
図７に示されているように、車両１００のヘッドライトは通常ロービーム１０３（ハイビームに対して路上を照らすようやや下向きの方向に向けられた光の照射方法もしくはその方法で照射された光、以下同じ）の状態で照射されることが多い。ロービーム１０３の光は低い位置を照らし、人間１０１の下半身に照射される割合が多い。特に、車両１００の近くでは、上半身にはロービーム１０３で照射された光があたらない場合がある。具体的には、検問や交通整理をする警官や警備員には、下半身に光が当る割合が多い。このため、ロービームのヘッドライト光に対しては、ズボンに光反射部材を取り付けることが、運転手に認識されるために好ましい。
【０００７】
さらに、光反射材付衣類は、暗くなった時に、着替えられる、もしくは着用している衣類の上から着用される場合がある。しかし、現場や路上で着替えることは、着替え場所ない場合や手間が掛かる場合がある。着用している衣類の上から光反射材付衣類が着用される場合、着用者は暑い場合がある。
特に、ベストなどの上半身の上着であれば現場や路上でも簡単に着用できるが、ズボンは着用に手間が掛かる場合がある。
光反射部材を取り付けることが効果的なズボンにおいて、着用している衣類の上から着用することができ、かつ、通気性がよい光反射部材を具備したズボンが望まれる。さらに、このズボンは、軽量で、動きやすいものが好ましい。
【０００８】
さらに、最近は犬などのペット１０２を夜間に散歩する人がいる。ペットは人より先の低い位置を進行するため、運転手に認識されにくい場合がある。
ペットに衣類を着せる飼い主がいるが、夜間外出するペットに着せるペット用衣類は光反射部材を具備していることが好ましい。
さらに、ペットは毛皮などを元来有しているので、ペットに着せるペット用衣類は、通気性が良いものが望まれる。
さらに、愛玩動物であるペットに着せられるペット用衣類は、飼い主が満足するデザインの良いものが望まれる。このため、ペット用衣類はデザイン上の制限が少ないことが好ましい。
【０００９】
光反射材付衣類は、昼間は目立たず、かつ、暗いところで光を受けた時、他人に認識可能に反射する衣類が望まれる。
光反射部材を取り付けることが効果的なズボンにおいて、着用している衣類の上から着用することができ、かつ、通気性がよい光反射部材付ズボンが望まれる。
ペット用衣類において、光反射部材が取り付けられているペット用衣類が望まれる。さらに、ペット用衣類は、通気性が良いものが望まれる。さらに、ペット用衣類は、デザインの制限が少ないものが望まれる。
【００１０】
【特許文献１】
特開２０００−３２８３２４号公報
【００１１】
【発明が解決しようとする課題】
本発明の目的は、昼間は目立たず、かつ、暗いところで光を受けた時、他人に認識可能に反射する光反射材付衣類を提供することにある。
本発明の他の目的は、昼間は目立たず、かつ、暗いところで光を受けた時、他人に認識可能に反射する光反射部材付ズボンを提供することにある。
本発明の更に他の目的は、すでに着用しているズボンの上から着用でき、通気性が良く、昼間は目立たずかつ暗いところで光を受けた時に他人に認識可能に反射する光反射部材付ズボンを提供することにある。
本発明の更に他の目的は、光反射部材が取り付けられているペット用衣類を提供することにある。
【００１２】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１３】
本発明の反射材付衣類は、表地を形成するメッシュ地と、メッシュ地の裏面から、メッシュ地の少なくとも一部に取り付けられ、反射面がメッシュ地を透過した光を反射するように取り付けられる光反射部材と、を具備する。
【００１４】
本発明のズボン（１）は、表地（２）を形成するメッシュ地と、メッシュ地の裏面から、メッシュ地の少なくとも一部に取り付けられ、反射面がメッシュ地を透過した光を反射するように取り付けられる光反射部材（３）と、を具備する。
【００１５】
本発明のズボン（１）の光反射部材（３）は、当該ズボン（１）の丈方向に対して、平行でないテープ状の部分を有する。
【００１６】
本発明のズボン（１）は、さらに、当該ズボン（１）の裾に、メッシュ地より単位重量が重い裾光反射部材（４）を備える。
【００１７】
本発明のズボン（１）の一形態は、さらに、光反射部材（３）の裏面、および光反射部材が取り付けられていないメッシュ地の裏面に、裏地（７）を具備する。
【００１８】
本発明のズボン（１）は、さらに、当該ズボン（１）のサイドの部分に、当該ズボン（１）の下に着用されているサイドポケットとつながる穴部（６）が開けられている。
【００１９】
本発明のズボン（１）は、さらに、当該ズボン（１）のサイドの部分に、当該ズボン（１）の下に着用されているベルトに装備されている拳銃もしくは警棒を取り出す穴部（６）が開けられている。
【００２０】
本発明のチョッキ（１０）は、表地（１２）を形成するメッシュ地と、メッシュ地の裏面から、メッシュ地の少なくとも一部に取り付けられ、反射面がメッシュ地を透過した光を反射するように取り付けられる光反射部材（１３、１５）と、を具備する。
【００２１】
本発明のペット用衣類（２０）は、表地（２２）を形成するメッシュ地と、メッシュ地の裏面から、メッシュ地の少なくとも一部に取り付けられ、反射面がメッシュ地を透過した光を反射するように取り付けられる光反射部材（２３）と、を具備する。
【００２２】
本発明のペット用衣類は、表地（２２）を形成するメッシュ地と、メッシュ地に取り付けられる光反射部材（２３、２４）と、を具備する。
【００２３】
【発明の実施の形態】
添付図面を参照して、本発明による光反射材付衣類の実施の形態を以下に説明する。
【００２４】
（実施の形態１）
図１に光反射部材付ズボン１の例が示される。本実施例の光反射部材付ズボン１は、着用者が、すでに着用しているズボンの上から着用することができるズボンである。
光反射部材付ズボン１の本体は、表地２がメッシュ状の生地で製作されている。表地２がメッシュ地で製作されていることにより、光反射部材付ズボン１が、すでに着用されているズボンの上から着用されても通気性を阻害することが少なく、軽量で、動きやすい。さらに、メッシュ地は軽量で、コンパクトに収納することができ、さらに、しわが発生し難い。
光反射部材付ズボン１の一部には、光反射部材３が、表地２の裏面から反射面を表地２に接するように取付けられている。
【００２５】
図１ではテープ状の形態の光反射部材３が丈方向に対して斜めに、複数本取付けられている例が示される。光反射部材３は、光反射部材付ズボン１の前面、横面および後面の各々からの光を反射するように取付けられる。光反射部材３が斜めに複数本取付けられることにより、光反射部材付ズボン１に当る光の高さが異なっても、光反射部材３が確実に光を反射することができる。さらに、光反射部材３が斜めに複数本取付けられることにより、光反射部材３の設置面積もしくは設置量が減少し、さらに、メッシュ材の表地２の通気性が確保される。光反射部材３は、光反射部材付ズボン１の表面積の概ね２０％以上に取付けられることが、視認性を確保するために好ましいことが、発明者による試験で確認されている。
本発明の光反射部材付ズボン１は、２００ｍ先のロービームのヘッドライトの光を良好に反射して、運転手に認識されことが、発明者の試験で確認されている。
【００２６】
メッシュの表地２は、光反射部材付ズボン１の表面から入射された車両のヘッドライトの光等を透過し、この透過した光が光反射部材３で反射されさらに反射された光を再度車両の運転手等に認識できるように透過するものであれば、公知の生地が使用可能である。
【００２７】
図２に光反射部材３が取付けられた部分の詳細が示される。表地２を形成するメッシュ地の裏面から、光反射部材３の反射面が表地２に接するように取付けられる。光反射部材３の表地２への取付けは、縫合されても、貼付されてもよい。
メッシュ地を透過した光は、光反射部材３で反射され、再度メッシュ地を透過する。
メッシュ地は、必要量の光を透過するものであれば、織られたもの、編まれたもののいずれでもよい。
【００２８】
メッシュの表地２は、下に着用している制服などのズボンと同系色であることが、光反射部材付ズボン１を着用していることが目立たず好ましい場合がある。
【００２９】
光反射部材３は、公知のものが使用できるが、着心地が良いおよび動作が容易な柔らかいものが好ましい。具体的には、光反射部材３として、布製の光反射部材が使用される場合がある。
光反射部材３を表地２の表面から取付けると、明るい場所でも目立って、デザイン上、好ましいと感じない人がいる場合がある。デザイン上、好ましくない衣類は、安全上有効でも着用されない場合がある。このため、光反射部材３は、昼間や周囲が明るい時に目立たないように、表地２と同系色、もしくはグレー系（銀色系）もしくは白色などの目立たない色のものが好ましい。ただし、光反射部材３は、デザイン上の問題無ければ、蛍光色などを使用してもよく、一部の光反射部材３を表面から取り付けることもできる、
【００３０】
さらに、光反射部材付ズボン１の裾部分には、裾光反射部材４が取り付けられる。
ズボンが捲れ上がることを防止するため、表地２のメッシュ地より単位重量が重い裾光反射部材４が取付けられる場合がある。裾光反射部材４は、光反射部材３より厚い反射シートなどに例示される。裾光反射部材４として、ビニール製の光反射部材が使用される場合がある。
裾光反射部材４は、表地２の表から取り付けられても、裏面から取り付けられても良い。
光反射部材付ズボン１の裾部分は、路上を照らす車両のロービームの光が当る可能性が高いため、裾光反射部材４が取付けられることが好ましい。伽半などに光反射部材と取り付けて着用される場合があるが、光反射部材付ズボン１が裾光反射部材４を具備すれば、伽半を着用する必要がない。
裾の捲り上がりを防止するため、ゴムや紐で足首に固定できる構造を備える場合がある。
【００３１】
さらに、光反射部材付ズボン１のサイド部分には、光反射部材のライン５が取付けられる場合がある。横からの光を反射するためにサイドのライン５が取付けられることが好ましい。ライン５の反射部材は、光反射部材３と同じ素材でも、異なる素材でもよい。反射部材として、布製もしくはビニール製の光反射部材が使用できる。
【００３２】
さらに、本実施の形態の光反射部材付ズボン１は、ズボンの上から着用されるため、下に着用しているズボンのサイドポケットが使用可能なように、サイドポケットの位置に穴部６があけられることが好ましい。さらに、警察官やガードマンが光反射部材付ズボン１を着用する場合は、光反射部材付ズボン１の下に着用されるベルトに装備された警棒や拳銃を光反射部材付ズボン１の外に出すことができる穴部６があけられることが好ましい。
【００３３】
本実施の形態の光反射部材付ズボン１は、ズボンの上から着用されるため、腰部分に簡易バックルおよびゴムを具備することが好ましい。
【００３４】
本実施の形態の光反射部材付ズボン１は、表地２がメッシュ地で通気性がよく、すでに着用しているズボンの上から着用することができる。さらに、光反射部材３が表地２の裏面から取り付けられるので光反射部材３が目立たず、光反射部材３をデザインに左右されず有効な場所に取付けることができる。
【００３５】
（実施の形態２）
本実施の形態２では、裏地を有する裏地付光反射部材付ズボンの例が示される。本実施の形態の裏地付光反射部材付ズボンは、実施の形態１の光反射部材付ズボン１で説明された表地１と光反射部材３を具備し、さらに、裏地７を具備する。このため、通気性は実施の形態１で説明された光反射部材付ズボン１より劣るが、防寒性能が高い。
また、実施の形態１で説明された裏地付光反射部材付ズボン１と同様、光反射部材３が表地２の裏面から取り付けられるので光反射部材３が目立たず、光反射部材３をデザインに左右されず有効な場所に取付けることができる。
さらに、裏地７は、ファスナー、面ファスナー（マジックテープ（登録商標））、もしくはボタンで、表地２に取り外し可能に、取付けられる場合がある。
さらに、本実施の形態２の裏地付光反射部材付ズボンでは、裏地７を表地２と同じ色もしくは同系色にすることができる。
本実施の形態２のズボンは、すでに着用している衣類の上から着用することも、ズボンを着用していない場合に着用することも可能である。
【００３６】
図３に、裏地付光反射部材付ズボンの光反射部材３取付け部分が示される。
表地２を形成するメッシュ地の裏面から、光反射部材３の反射面が表地２に接するように取付けられる。光反射部材３の表地２への取付けは、縫合されても、貼付されてもよい。
メッシュ地を透過した光は、光反射部材３で反射され、再度メッシュ地を透過する。
メッシュ地は、必要量の光を透過するものであれば、織られたもの、編まれたもののいずれでもよい。
さらに、光反射部材３より裏面から裏地７か取り付けられる。裏地７は、表地２で形成されるズボンの内側を形成し、ズボンより少し小さい概ね同じ形状をしている。もしくは、裏地７を、表地２の丈より短く作製することもできる。
【００３７】
光反射部材３は、公知のものが使用できるが、着心地が良いおよび動作が容易な柔らかいものが好ましい。光反射部材３として、布製の光反射部材が使用される場合がある。
光反射部材３を表地２の表面から取付けると、明るい場所でも目立って、デザイン上、好ましいと感じない人がいる場合がある。デザイン上、好ましくない衣類は、有用でも着用されない場合がある。このため光反射部材３は、昼間や周囲が明るい時に目立たないように、表地２と同系色、もしくはグレー系（銀色系）もしくは白色などの目立たない色のものが好ましい。
【００３８】
本実施の形態２の裏地付光反射部材付ズボンは、裏地７を具備し、防寒性能が向上している。また、本実施の形態２の裏地付光反射部材付ズボンは通常のズボンとして着用できる。さらに、光反射部材３が表地２の裏面から取り付けられるので光反射部材３が目立たず、光反射部材３をデザインに左右されず有効な場所に取付けることができる。
【００３９】
（実施の形態３）
本実施の形態３では、光反射部材付チョッキの例が示される。
図４に光反射部材付チョッキ１０の例が示される。図４（ａ）は光反射部材付チョッキ１０の前面を、（ｂ）は光反射部材付チョッキ１０の後面を示す。
本実施例の光反射部材付チョッキ１０は、着用者が夜間などの暗いところで、光を反射し、車両の運転手などから認識されやすいように、着用される。
【００４０】
光反射部材付チョッキ１０は、表地１２がメッシュ状の生地で製作される。表地１２がメッシュで製作されていることにより、光反射部材付チョッキ１０がすでに着用している衣類の上から着用されても、通気性を阻害することが少ない。
さらに、光反射部材付チョッキ１０の一部に、光反射部材１３が表地１２の裏面から反射面を表地に接するように取付けられている。表地１２がメッシュ地であるため、光反射部材１３は車両のヘッドライトの光を反射することができる。さらに、光反射部材１３が表地１２の裏面から取り付けられるため、昼間には光反射部材１３が目立たず、デザインを制限せず、必要な量の光反射部材１３が取付けられる。
光反射部材付チョッキ１０の前面は、ファスナ、面ファスナ、ボタンのいずれかの止め部１４で止められる。
【００４１】
図４に示されるように、光反射部材１３は、千鳥模様（１３）もしくは斜めライン（１５）を具備した模様で取付けられる場合がある。その他、反射した時に車両のヘッドライトの光を反射して、運転手に認識されやすい模様であれば、上記の模様に限定されない。
さらに、光反射部材１３は、着用者の前面、横面、及び後面それぞれから光が当った時に光を反射するように取付けられることが好ましい。
【００４２】
光反射部材１３の取付け部分は図２と同様である。表地１２を形成するメッシュ地の裏面から、光反射部材１３の反射面が表地１２に接するように取付けられる。光反射部材１３の表地１２への取付けは、縫合されても、貼付されてもよい。
表地１２のメッシュ地を透過した光は、光反射部材１３で反射され、再度メッシュ地を透過する。メッシュ地は、必要量の光を透過するものであれば、織られたもの、編まれたもののいずれでもよい。
【００４３】
光反射部材１３は、公知のものが使用できるが、着心地が良いおよび動作が容易な柔らかいものが好ましい。具体的には、光反射部材１３として布製の光反射部材が使用される場合がある。さらに、光反射部材１３は、反射性能の高いものが好ましい。
光反射部材１３は、昼間や周囲が明るい時に目立たないように、表地１２と同系色、もしくはグレー系（銀色系）もしくは白色などの目立たない色のものが好ましい。
光反射部材１３を表地１２の表面から取付けると、明るい場所でも目立って、デザイン上、好ましいと感じない人がいる場合がある。デザイン上、好ましくない衣類は、安全上有効でも着用されない場合がある。
光反射部材付チョッキの着用を、児童、学生に義務付けている地域がある。光反射部材付チョッキの着用は、夜間の通行している車両からの認識を高めるのに有効である。本発明の光反射部材付チョッキ１０は、デザイン上の制限が少ないので、児童、学生に着用されやすい光反射部材付チョッキ１０を製作することができる。
【００４４】
さらに、光反射部材付チョッキ１０の表面にも光反射部材付を取り付けることができる。もしくは、光反射部材付チョッキ１０が、リバーシブルで着用できるように、裏面から取り付けられる光反射部材が、両面に反射面を有するように取り付けられ、裏返して着用された時も光を反射する様に製作することもできる。
【００４５】
（実施の形態４）
本実施の形態４では、光反射部材付ペット用衣類の例が示される。
図５に、光反射部材付ペット用衣類２０の概要が、図６に光反射部材付ペット用衣類２０の構造が示される。本例では、犬用の光反射部材付ペット用衣類２０の例が示されるが、犬用に限定されず、猫やその他のペット用の衣類に適用できる。
【００４６】
図５は、ペットが、光反射部材付ペット用衣類２０を着用している概要が示される。
本実施の形態の光反射部材付ペット用衣類２０は、ペットが夜間などの暗いところで、光を反射し、車両の運転手などから認識されやすいように着用される。
【００４７】
ペットが光反射部材付ペット用衣類２０は、本体を構成する表地２２、表地２２に取付けられる光反射部材２３、光反射部材２４を具備する。
表地２２はメッシュ状の生地で製作される。表地２２がメッシュで製作されていることにより、通気性がよい。
さらに、衣類の一部に、光反射部材２３が表地２２の裏面から反射面を表地に接するように取付けられている。表地２２がメッシュ地であるため、光反射部材２３は車両のヘッドライトの光を反射することができる。さらに、光反射部材２３が表地２２の裏面から取り付けられるため、光反射部材２３が目立たず、デザインを制限せず、必要な量の光反射部材２３が取付けられる。
光反射部材２４が、表地２２の表面に、好きなデザインで取付けられる場合もある。
光反射部材付ペット用衣類２０は、光反射部材２３と光反射部材２４の少なくともいずれかを有することが好ましい。デザイン上、表面に付けられる光反射部材２４の面積が少ない場合は、表地２２の裏面から光反射部材２３が付けられることが好ましい。
【００４８】
図６に、光反射部材付ペット用衣類２０の構造が示される。
図６（ａ）は、構造図、図６（ｂ）は展開図を示す。
光反射部材付ペット用衣類２０はペットの前足を通す穴２７が開けられ、背の部分で開閉されるように、ファスナ、面ファスナ、ボタンのいずれかである止め部２５ａ、２５ｂが取付けられる。
止め部２５ａ、２５ｂを止めた時、ペットの首が通る部分２６が形成される。
光反射部材付ペット用衣類２０の形状は、公知のペット用衣類の形状で製作可能であり、上記の例に限定されない。
【００４９】
光反射部材２３の取付け部分は図２と同様である。表地２２を形成するメッシュ地の裏面から、光反射部材２３の反射面が表地２２に接するように取付けられる。光反射部材２３の表地２２への取付けは、縫合されても、貼付されてもよい。
表地２２のメッシュ地を透過した光は、光反射部材２３で反射され、再度メッシュ地を透過する。メッシュ地は、必要量の光を透過するものであれば、織られたもの、編まれたもののいずれでもよい。
【００５０】
光反射部材２３および光反射部材２４は、公知のものが使用できるが、着心地が良いおよび動作が容易な柔らかいものが好ましい。さらに、光反射部材２３は、反射性能の高いものが好ましい。
光反射部材２３は、昼間や周囲が明るい時に目立たないように、表地２２と同系色、もしくはグレー系（銀色系）もしくは白色などの目立たない色のものが好ましい。
光反射部材２３を表地２２の表面から取付けると、明るい場所でも目立って、デザイン上、好ましいと感じない飼い主がいる場合がある。
ペットを散歩させる時、ペットは飼い主より先に歩行し、さらにペットの位置が地上から低いため、光反射部材付ペット用衣類２０の着用は、夜間の通行している車両からの認識を高めるのに有効である。本発明の光反射部材付ペット用衣類２０は、デザイン上の制限が少ないので、飼い主に選択されやすいデザインの光反射部材付ペット用衣類２０を製作することができる。
【００５１】
【発明の効果】
本発明の光反射材付衣類は、昼間は目立たず、かつ、暗いところで光を受けた時、他人に認識可能に反射することができる。
本発明の一形態の光反射部材付ズボンは、昼間は目立たず、かつ、暗いところで光を受けた時、他人に認識可能に反射することができる。
本発明の一形態の光反射部材付ズボンは、すでに着用しているズボンの上から着用でき、通気性が良く、昼間は目立たずかつ暗いところで光を受けた時に他人に認識可能に反射することができる。
本発明の一形態のペット用衣類は、光反射部材が取り付けられ、暗いところで光を受けた時に他人に認識可能に反射することができる。
【図面の簡単な説明】
【図１】図１は、光反射部材付ズボンの概要を示す。
【図２】図２は、光反射部材が取付けられた部分の構成を示す。
【図３】図３は、裏地付光反射部材付ズボンの光反射部材取付け部分の構成を示す。
【図４】図４は、光反射部材付チョッキの概要を示す。
【図５】図５は、光反射部材付ペット用衣類の概要を示す。
【図６】図６は、光反射部材付ペット用衣類の構造を示す。
【図７】図７は、車のヘッドライトの照射する範囲の例を示す。
【符号の説明】
１　光反射部材付ズボン
２　表地
３　光反射部材
４　裾光反射部材
５　ライン
６　穴部
７　裏地
１０　光反射部材付チョッキ
１２　表地
１３　光反射部材
１４　止め部
１５　光反射部材
２０　光反射部材付ペット用衣類
２２　表地
２３　（裏面に付けられる）光反射部材
２４　（表面に付けられる）光反射部材
２５ａ、２５ｂ　止め部
２６　ペットの首が通る部分
２７　ペットの前足を通す穴
１００　車両
１０１　人間
１０２　ペット
１０３　ロービーム（の光）
【図１】
2004143603.tif 000003
【図２】
2004143603.tif 000004
【図３】
2004143603.tif 000005
【図４】
2004143603.tif 000006
【図５】
2004143603.tif 000007
【図６】
2004143603.tif 000008
【図７】
2004143603.tif 000009